(57)【特許請求の範囲】
【請求項１】
記録紙を積載し、一端に設けられた回動軸を中心に他端が給紙ローラ方向に回動自在な積載板と、前記積載板に配設されて前記記録紙の巾方向位置を規制する一対の巾ガイドと、前記巾ガイドと一体構成の一対のラックと、前記ラックに回転自在に噛合して前記巾ガイドを左右連動して移動可能とするピニオンとが筐体に設けられ、前記ピニオンの端面が前記積載板の端面に摺接する給紙装置であって、
前記筐体と前記ピニオンとの間に圧縮バネが配設され、前記圧縮バネの弾性荷重により前記ピニオンの端面が前記積載板の端面に押圧接触するとともに、前記ピニオンを介して前記積載板が前記給紙ローラ方向に付勢される構成を有し、
前記ピニオンの端面と前記積載板の端面の夫々に、互いに噛合する複数個の鋸歯状傾斜面からなる上側接触部ならびに下側接触部を夫々設けたことを特徴とする給紙装置。
【請求項２】
前記上側接触部ならびに下側接触部の各鋸歯を構成する一対の傾斜面の各傾斜角度は、一方の傾斜角度が他方の傾斜角度よりも小であり、かつ前記巾ガイドを巾を狭める方向に移動させる際に、前記ピニオンが前記の小さい傾斜角度の傾斜面を登る方向に回転する構成としたことを特徴とする請求項１記載の給紙装置。
【請求項３】
記録紙を積載し，一端に設けられた回動軸を中心に他端が給紙ローラ方向に回動自在な積載板と、前記積載板に配設されて前記記録紙の巾方向位置を規制する一対の巾ガイドと、前記巾ガイドと一体構成の一対のラックと、前記ラックに回転自在に噛合して前記巾ガイドを左右連動して移動可能にするピニオンとが筐体に設けられた給紙装置であって、負荷ギアが該端面を前記積載板の端面に摺接させ、かつ該外周部を前記ピニオンに噛合させて連動可能に配設され、かつ、前記筐体と前記負荷ギアとの間に圧縮バネが配設され、前記圧縮バネの弾性荷重により前記負荷ギアの端面が前記積載板の端面に押圧接触するとともに、前記負荷ギアを介して前記積載板が前記給紙ローラ方向に付勢される構成としたことを特徴とする給紙装置。
【請求項４】
前記負荷ギアの端面と前記積載板の端面の夫々に、互いに噛合する複数個の鋸歯状傾斜面からなる上側接触部ならびに下側接触部を夫々設けたことを特徴とする請求項３記載の給紙装置。
【請求項５】
前記上側接触部ならびに下側接触部の各鋸歯を構成する一対の傾斜面の各傾斜角度は、一方の傾斜角度が他方の傾斜角度よりも小であり、かつ前記巾ガイドを巾を狭める方向に移動させる際に、前記負荷ギアに噛合した前記ピニオンの連動による回転を介して、前記負荷ギアが前記の小さい傾斜角度の傾斜面を登る方向に回転する構成としたことを特徴とする請求項４記載の給紙装置。
【請求項６】
記録紙を積載し，一端に設けられた回動軸を中心に他端が給紙ローラ方向に回動自在な積載板と、前記積載板に配設されて前記記録紙の巾方向位置を規制する一対の巾ガイドと、前記巾ガイドと一体構成の一対のラックと、前記ラックに回転自在に噛合して前記巾ガイドを左右連動して移動可能にするピニオンとが筐体に設けられた給紙装置であって、前記ピニオンのフランジの外周部がギアを構成し、負荷ギアが該端面を前記積載板の端面に摺接させ、かつ該外周部を前記ピニオンのフランジ外周部のギアに噛合させて連動可能に配設され、かつ、前記筐体と前記負荷ギアとの間に圧縮バネが配設され、前記圧縮バネの弾性荷重により前記負荷ギアの端面が前記積載板の端面に押圧接触するとともに、前記負荷ギアを介して前記積載板が前記給紙ローラ方向に付勢される構成としたことを特徴とする給紙装置。
【請求項７】
前記負荷ギアの端面と前記積載板の端面の夫々に、互いに噛合する複数個の鋸歯状傾斜面からなる上側接触部ならびに下側接触部を夫々設けたことを特徴とする請求項６記載の給紙装置。
【請求項８】
前記上側接触部ならびに下側接触部の各鋸歯を構成する一対の傾斜面の各傾斜角度は、一方の傾斜角度が他方の傾斜角度よりも小であり、かつ前記巾ガイドを巾を狭める方向に移動させる際に、前記フランジを前記負荷ギアに噛合させた前記ピニオンの連動による回転を介して、前記負荷ギアが前記の小さい傾斜角度の傾斜面を登る方向に回転する構成としたことを特徴とする請求項７記載の給紙装置。
【発明の詳細な説明】
【０００１】
【発明の属する技術分野】
本発明は、給紙巾ガイドを備えた給紙装置に関し、とりわけ、ファクシミリ装置、プリンタ装置、コピー装置などの給紙部に搭載される、記録紙の巾ガイドを備えた給紙装置に関するものである。
【０００２】
【従来の技術】
ファクシミリ装置、プリンタ装置、コピー装置などの給紙部には、複数枚の記録紙を積載して記録紙の巾方向位置を規制する機能と、複数枚の記録紙を１枚づつ分離して給紙ローラに供給し、よって記録紙を１枚づつ画像印字部に搬送する機能とが要求される。  このため、給紙部には複数枚の記録紙を積載可能な積載板が設けられ、かつ、この積載板には積載記録紙の巾方向位置を規制する給紙巾ガイドが備えられ、さらにこの積載板を給紙ローラに押圧させる第一の付勢手段が併設されている。
【０００３】
さらに前記に加え、従来の構成においては給紙巾ガイドの移動を調節するための第二の付勢手段が併設されていた。このような構成の従来の給紙装置の例として、特開平７−２５１９５７号公報に記載の用紙カセットが開示されている。
【０００４】
図６は、前記のような従来の給紙装置の構成例を示す模式側面断面図である。また図７は、図６に示される給紙ガイドの分解斜視図である。以下、両図に基づき従来の給紙装置の構成と動作を説明する。
【０００５】
図６に示されるように、従来の給紙装置ＷＤ１００は、記録紙２を積載可能な積載板１０１を備え、この積載板１０１上には、巾ガイド部分１０６ａとラック１０６ｂ、あるいは巾ガイド部分１０７ａと１０７ｂがそれぞれ一体構成に設けられた一対の巾ガイド１０６、１０７と、これら一対のラック１０６ｂ、１０７ｂに同時に噛合する一個のピニオン１０８と、このピニオン１０８を積載板１０１の下端面１０１ｂに押圧させる第二圧縮バネ１０９（図７参照）とが、それぞれ積載板１０１の略中央部分に配設されている。
【０００６】
積層板１０１は、その一端が回動軸１１０を構成し、またその他端は給紙ローラ４の下端方向に回動自在に配置されている。さらに積層板１０１の給紙ローラ４側端部には、積層板１０１をその位置１０１ａにおいて給紙ローラ４方向に押圧させる第一圧縮バネ１０３が、筐体底部ＦＬと積載板１０１間に設けられている。
【０００７】
第一圧縮バネ１０３は、積載板１０１上の複数枚の記録紙２を給紙ローラ４に押圧させる。この結果、記録紙２は給紙ローラ４に押圧している分離パッド５によって１枚づつ分離され、図示されない画像印字部へ搬送される。
【０００８】
図７は、図６に示される給紙ガイドの分解斜視図である。
左右巾ガイド１０６、１０７は、記録紙巾ガイド部分１０６ａ、１０７ａとラック１０６ｂ、１０７ｂが一体となっており、各々のラック１０６ｂ、１０７ｂはピニオン１０８を介して連動する。ピニオン１０８は積載板１０１に第二圧縮バネ１０９を介し、ネジ１１０で取付けられ、第二圧縮バネ１０９はその弾性荷重によりピニオン１０８の回転に負荷をかけている。
【０００９】
左右巾ガイド１０６、１０７が手動で左右方向に移動されると、一対のラック１０６ｂ、１０７ｂが反対方向にそれぞれ移動し、このときピニオン１０８は一対のラック１０６ｂ、１０７ｂに噛合して一方向に回動する。ここで、第二圧縮バネ１０９の作用によってピニオン１０８の上端面は積載板１０１の下端面１０１ｂに接して摺動する。第二圧縮バネ１０９が弾性によりピニオン１０８を上方に押圧すると、ピニオン１０８の上端面１０８ａと積載板１０１の下端面１０１ｂとの摩擦抵抗が増大してピニオン１０８の回転が規制される。
【００１０】
摩擦抵抗の増大によってピニオン１０８の回転が規制されると、巾ガイド１０６、１０７の移動も規制されるから、設定された巾が維持され、よって記録紙２の巾方向位置が維持される。さらに、前記のように積載板１０１の一端が押圧されることによって、積載された記録紙２が給紙ローラ４下端に押圧され、記録紙の給紙ローラへの搬送が確実に実行されることになる。すなわち、複数枚の記録紙を１枚づつ分離し、画像印字部（図示されない）に搬送することが可能になる。
【００１１】
このように、従来のラック一体の巾ガイドの動作負荷を与える構成としては、ピニオンに圧縮バネもしくは板バネにより荷重をかける。または、巾ガイド板とラックを別部材とし、ラック部に本体側に当接する弾性形状部分を一体で設け、巾ガイドの動作に負荷をかける構成も知られている。
【００１２】
【発明が解決しようとする課題】
しかしながら、前記のような構成の従来の給紙装置においては、第一圧縮バネおよび第二圧縮バネの二つのバネを必要とするため、部品点数が増加してコスト高となる欠点があった。
【００１３】
さらに、巾ガイドが手動で位置調節される際に、従来の巾ガイドにおいての動作負荷は、部品構成上、左右方向すなわち巾の拡大あるいは縮小方向に同程度の負荷を与えるものであり、またこの負荷は動作中に巾ガイドが容易に移動しないように十分な大きさに設定されるものであるから、よって手動で巾を縮小させる際に加える力も大となり、よって操作が容易でないという問題があった。
【００１４】
本発明は、前記のような従来技術における問題点を解決するためなされたものであり、部品点数を減らし、コストダウンを図るとともに、巾ガイドの操作性と信頼性を向上させ、機器のレイアウトの自由度を高めたコンパクトな給紙装置を提供することを目的とする。
【００１５】
【課題を解決するための手段】
前記課題を解決するため本発明の請求項１に係る給紙装置は、記録紙を積載し，一端に設けられた回動軸を中心に他端が給紙ローラ方向に回動自在な積載板と、前記積載板に配設されて前記記録紙の巾方向位置を規制する一対の巾ガイドと、前記巾ガイドと一体構成の一対のラックと、前記ラックに回転自在に噛合して前記巾ガイドを左右連動して移動可能とするピニオンとが筐体に設けられ、前記ピニオンの端面が前記積載板の端面に摺接する給紙装置であって、前記筐体と前記ピニオンとの間に圧縮バネが配設され、前記圧縮バネの弾性荷重により前記ピニオンの端面が前記積載板の端面に押圧接触するとともに、前記ピニオンを介して前記積載板が前記給紙ローラ方向に付勢される構成を有し、前記ピニオンの端面と前記積載板の端面の夫々に、互いに噛合する複数個の鋸歯状傾斜面からなる上側接触部ならびに下側接触部を夫々設けたことを特徴とする。
【００１７】
本発明の請求項２に係る給紙装置は、請求項１記載の構成において、前記上側接触部ならびに下側接触部の各鋸歯を構成する一対の傾斜面の各傾斜角度は、一方の傾斜角度が他方の傾斜角度よりも小であり、かつ前記巾ガイドを巾を狭める方向に移動させる際に、前記ピニオンが前記の小さい傾斜角度の傾斜面を登る方向に回転する構成としたことを特徴とする。
【００１８】
本発明の請求項３に係る給紙装置は、記録紙を積載し，一端に設けられた回動軸を中心に他端が給紙ローラ方向に回動自在な積載板と、前記積載板に配設されて前記記録紙の巾方向位置を規制する一対の巾ガイドと、前記巾ガイドと一体構成の一対のラックと、前記ラックに回転自在に噛合して前記巾ガイドを左右連動して移動可能にするピニオンとが筐体に設けられた給紙装置であって、負荷ギアが該端面を前記積載板の端面に摺接させ、かつ該外周部を前記ピニオンに噛合させて連動可能に配設され、かつ、前記筐体と前記負荷ギアとの間に圧縮バネが配設され、前記圧縮バネの弾性荷重により前記負荷ギアの端面が前記積載板の端面に押圧接触するとともに、前記負荷ギアを介して前記積載板が前記給紙ローラ方向に付勢される構成としたことを特徴とする。
【００１９】
本発明の請求項４に係る給紙装置は、請求項３記載の構成において、前記負荷ギアの端面と前記積載板の端面の夫々に、互いに噛合する複数個の鋸歯状傾斜面からなる上側接触部ならびに下側接触部を夫々設けたことを特徴とする。
【００２０】
本発明の請求項５に係る給紙装置は、請求項４記載の構成において、前記上側接触部ならびに下側接触部の各鋸歯を構成する一対の傾斜面の各傾斜角度は、一方の傾斜角度が他方の傾斜角度よりも小であり、かつ前記巾ガイドを巾を狭める方向に移動させる際に、前記負荷ギアに噛合した前記ピニオンの連動による回転を介して、前記負荷ギアが前記の小さい傾斜角度の傾斜面を登る方向に回転する構成としたことを特徴とする。
【００２１】
本発明の請求項６に係る給紙装置は、記録紙を積載し，一端に設けられた回動軸を中心に他端が給紙ローラ方向に回動自在な積載板と、前記積載板に配設されて前記記録紙の巾方向位置を規制する一対の巾ガイドと、前記巾ガイドと一体構成の一対のラックと、前記ラックに回転自在に噛合して前記巾ガイドを左右連動して移動可能にするピニオンとが筐体に設けられた給紙装置であって、前記ピニオンのフランジの外周部がギアを構成し、負荷ギアが該端面を前記積載板の端面に摺接させ、かつ該外周部を前記ピニオンのフランジ外周部のギアに噛合させて連動可能に配設され、かつ、前記筐体と前記負荷ギアとの間に圧縮バネが配設され、前記圧縮バネの弾性荷重により前記負荷ギアの端面が前記積載板の端面に押圧接触するとともに、前記負荷ギアを介して前記積載板が前記給紙ローラ方向に付勢される構成としたことを特徴とする。
【００２２】
本発明の請求項７に係る給紙装置は、請求項６記載の構成において、前記負荷ギアの端面と前記積載板の端面の夫々に、互いに噛合する複数個の鋸歯状傾斜面からなる上側接触部ならびに下側接触部を夫々設けたことを特徴とする。
【００２３】
本発明の請求項８に係る給紙装置は、請求項７記載の構成において、前記上側接触部ならびに下側接触部の各鋸歯を構成する一対の傾斜面の各傾斜角度は、一方の傾斜角度が他方の傾斜角度よりも小であり、かつ前記巾ガイドを巾を狭める方向に移動させる際に、前記フランジを前記負荷ギアに噛合させた前記ピニオンの連動による回転を介して、前記負荷ギアが前記の小さい傾斜角度の傾斜面を登る方向に回転する構成としたことを特徴とする。
【００２４】
【発明の実施の形態】
以下、この発明の実施の形態を説明する。先ず参考として、図１に本発明に係る給紙装置と共通した多くの要部構成を含み構成された給紙装置の構成を第一の実施形態として模式断面図で示す。同図に示されるように、この給紙装置ＷＤ１は、筐体ＦＬ内に、記録紙２を積載する積載板１と、この積載板１に配設されて記録紙２の巾方向位置を規制する一対の巾ガイド６ａ、７ａと、これら巾ガイド６ａ、７ａと一体構成の一対のラック６ｂ、７ｂと、これらラック６ｂ、７ｂに回転自在に噛合して一対の巾ガイド６ａ、７ａを左右連動して移動させるピニオン８とが設けられている。
【００２５】
積載板１は、その一端に設けられた回動軸１０を中心に回動自在に構成され、よってその他端が積載された記録紙２を給紙ローラ４に押圧可能に配置されている。またピニオン８の上端面８ｂは、積載板１の下端面１ｂに摺接するよう構成されている。
【００２６】
巾ガイド６ａ、７ａが手動で左右方向に移動されると、一対のラック６ｂ、７ｂが反対方向にそれぞれ移動し、このときピニオン８は一対のラック６ｂ、７ｂに噛合して時計方向あるいは逆方向のいずれか一方向に回動する。ここで、ピニオン８の上端面８ｂは積載板１の下端面１ｂに接して摺動する。
【００２７】
さらに、筐体ＦＬの底部とピニオン８の下端面８ａとの間に圧縮バネ３が配設されている。圧縮バネ３は、その弾性荷重によりピニオン８を上方向に押し、ピニオン８の上端面８ｂを積載板１の下端面１ｂに押圧接触させる。これのみならず、さらにピニオン８を介して積載板１を給紙ローラ４の方向Ｖに付勢する。積載板１上の複数枚の記録紙２は、圧縮バネ３により給紙ローラ４に押圧され、分離部へ給紙され、給紙ローラ４に押圧している分離パッド５にて１枚づつ分離され、図示されない画像印字部へ搬送される。
【００２８】
前記で、圧縮バネ３が弾性によりピニオン８を上方に押圧すると、ピニオン８の上端面８ｂと積載板１の下端面１ｂとの摩擦抵抗が増大してピニオン８の回転が規制される。
【００２９】
この摩擦抵抗の増大によってピニオン８の回転が規制されると、巾ガイド６ａ、７ａの移動も規制されるから、設定された巾が維持され、よって記録紙２の巾方向位置が正確に維持される。さらに、積載板１の他端が給紙ローラ４下端方向に押圧されることによって、記録紙２の給紙ローラ４への搬送が確実に実行されることになる。すなわち、記録紙２の巾サイズに関係なく複数枚の記録紙２を１枚づつ分離し、画像印字部（図示されない）に搬送することが可能になる。
【００３０】
このように、本実施形態の構成によれば、設けられた一個の圧縮バネのみによって、巾ガイドの動作に負荷を与えることによる移動の規制と、積載板の他端における記録紙の給紙ローラ下端への押圧の両方を一挙に実現することが可能になる。
したがって、従来構成において必要とされた、ピニオン動作の負荷部品である第二圧縮バネを削除することが可能になり、コストダウンが可能になる。
【００３１】
図２は、本発明に係る給紙装置の構成を第二の実施形態として示す模式断面図である。なお前記実施形態におけると同様の部分には同一符号を付けてあり、説明は省略される。同図に示されるように、本実施形態の給紙装置ＷＤ２は、ピニオン８の端面と積載板１の端面の夫々に、互いに噛合する複数個の鋸歯状傾斜面からなる上側接触部１１ならびに下側接触部１２が夫々設けられている。
【００３２】
前記実施形態と同様に、圧縮バネ３がピニオン８を上方向に押圧することにより、鋸歯状傾斜面からなる上側接触部１１ならびに下側接触部１２が噛合して、ピニオン８の回転をより効果的に規制する。
【００３３】
図３はその要部の拡大断面図である。ここで、特に上側接触部１１ならびに下側接触部１２の夫々において、鋸歯状を形成する一対の傾斜面の角度α、βをα＜βの関係で設けることにより、ピニオン８がｂ方向に回転するより、ａ方向に回転する回転力（回転負荷）は小さくなる。よって、巾ガイド６ａ、７ａを狭める方向をｂ方向、拡げる方向をａ方向に設定することにより、紙サイズに巾ガイドを合わせるときは、角度が小さい側の鋸歯状傾斜面を登ることになり、よって巾ガイド６ａ、７ａの動作負荷が小さくなる。一方、記録紙搬送のスキューを抑止する際は、角度が大きい側の鋸歯状傾斜面を登ることになり、よって巾ガイド６ａ、７ａの動作負荷が大きくなり、記録紙２を巾方向に確実に保持することができる。
【００３４】
従来の巾ガイドにおいての動作負荷は、部品構成上、左右（開閉方向）に一定であったが、このように本実施形態では、ユーザが給紙部に記録紙をセットし、記録紙巾に巾ガイドを合わせる（巾ガイドは閉方向）際は、動作負荷を軽くし、記録紙搬送のスキューを抑止する（巾ガイドを開方向）際は動作負荷を重くすることにより、巾ガイドの操作性と信頼性を向上させることが可能になる。
【００３５】
図４は、本発明に係る給紙装置の第三の実施形態の構成を示す模式断面図である。なお前記実施形態におけると同様の部分には同一符号を付けてあり、説明は省略される。
同図に示されるように、本実施形態の給紙装置ＷＤ３は、圧縮バネ３の中心軸上に負荷ギヤ１３が設けられ、この負荷ギヤ１３には圧縮バネ３により回転負荷が加えられており、負荷ギヤ１３上端面が積載板１の下端面１ａに摺接し、さらにこの負荷ギヤ１３とピニオン８が噛合するよう構成されている。
【００３６】
この構成によって、摩擦などにより負荷ギヤ１３に発生する負荷が、この負荷ギヤ１３と噛合するピニオン８を介して、巾ガイド６ａ、７ａに動作負荷として与えられる。
よって負荷ギヤ１３のピッチ円寸法Ａにより、巾ガイド６ａ、７ａの位置を任意に決めることができる。これにより、機器のレイアウト上、巾ガイド６ａ、６ｂを圧縮バネ３の軸線上に配置できない場合にも対応することが可能になる。
【００３７】
なお図４の構成において、前記図２に示したと同様に、負荷ギヤ１３の端面と積載板１の端面の夫々に、互いに噛合する複数個の鋸歯状傾斜面からなる上側接触部ならびに下側接触部を夫々設ける構成とすることも可能である。この構成による効果は前記と同様である。
【００３８】
さらに加えて、上側接触部ならびに下側接触部の夫々において、鋸歯状を形成する一対の傾斜面の角度α、βをα＜βの関係で設ける構成とすることも可能である。この構成による効果は前記と同様である。
【００３９】
図５は、本発明に係る給紙装置の第四の実施形態の構成を示す模式断面図である。なお前記実施形態におけると同様の部分には同一符号を付けてあり、説明は省略される。
同図に示されるように、本実施形態の給紙装置ＷＤ４は、ピニオン１４のフランジ１４ａの外周部がギアを構成し、負荷ギア１５がその端面を積載板１の端面に摺接させ、かつ負荷ギア１５の外周部がピニオン１４のフランジ１４ａ外周部のギアに噛合させて連動可能に配設されている。
【００４０】
さらに、筐体ＦＬと負荷ギア１５との間に圧縮バネ３が配設され、圧縮バネ３の弾性荷重により負荷ギア１５の端面が積載板１の端面に押圧接触するとともに、負荷ギア１５を介して積載板１が給紙ローラ４方向に付勢される。
【００４１】
この構成によって、摩擦などにより負荷ギヤ１５に発生する負荷が、この負荷ギヤ１５とフランジ１４ａが噛合するピニオン１４を介して、巾ガイド６ａ、７ａに動作負荷として与えられる。
また、負荷ギヤ１５のピッチ円寸法Ｂを任意に設定することにより、巾ガイド６ａ、７ａの位置を任意の位置に配置することができる。
【００４２】
とりわけ、負荷ギア１５として例えば比較的小径のギアを複数個連結させた構成にすることによって、積載板１を押圧する作用点１ａを任意に設定することができ、機器のレイアウト上、巾ガイドを給紙圧縮バネ軸線上だけでなく任意の位置に巾ガイドを配することが可能になり、よって装置設計の自由度が増大する。
【００４３】
なお図５の構成において、前記図２に示したと同様に、負荷ギヤ１５の端面と積載板１の端面の夫々に、互いに噛合する複数個の鋸歯状傾斜面からなる上側接触部ならびに下側接触部を夫々設ける構成とすることも可能である。また、ピニオン１４の端面と積載板１の端面の夫々に、互いに噛合する複数個の鋸歯状傾斜面からなる上側接触部ならびに下側接触部を夫々設ける構成とすることも可能である。これらの構成による効果は前記と同様である。
【００４４】
さらに加えて、上側接触部ならびに下側接触部の夫々において、鋸歯状を形成する一対の傾斜面の角度α、βをα＜βの関係で設ける構成とすることも可能である。この構成による効果は前記と同様である。
【００４５】
【発明の効果】
以上詳述したように、本発明の請求項１に係る給紙装置は、一個の圧縮バネがピニオンに負荷を与えるとともにピニオンを介して積載板を押圧する構成とするものであるから、一個だけの圧縮バネにより巾ガイドの動作に負荷を与えるとともに、同時に積載板に押圧力を与えることができ、よってピニオン動作の負荷部品を削除することが可能になり、コストダウンが可能になるという効果を奏する。
【００４６】
また、この給紙装置は、ピニオンの端面と積載板の端面の夫々に、互いに噛合する複数個の鋸歯状傾斜面からなる上側接触部ならびに下側接触部を夫々設けて構成するものであるから、ピニオン回転をより効果的に規制することが可能になる。
【００４７】
本発明の請求項２に係る給紙装置は、請求項１の構成において、前記上側接触部ならびに下側接触部の各鋸歯を構成する一対の傾斜面の各傾斜角度を、一方の傾斜角度が他方の傾斜角度よりも小であり、かつ巾ガイドを巾を狭める方向に移動させる際に、ピニオンが小さい傾斜角度の傾斜面を登る方向に回転する構成とするものであるから、ユーザが給紙部に記録紙をセットし、記録紙巾に巾ガイドを合わせる（巾ガイドは閉方向）際は、動作負荷を軽くし、記録紙搬送のスキューを抑止する（巾ガイドを開方向）際は動作負荷を重くすることが可能になり、よって操作性と信頼性の向上を実現できる。
【００４８】
本発明の請求項３に係る給紙装置は、一個の圧縮バネが負荷ギアを押圧して負荷を発生させ、負荷ギアに噛合されたピニオンにこの負荷を与えるとともに、負荷ギアを介して積載板を押圧する構成とするものであるから、一個だけの圧縮バネにより巾ガイドの動作に負荷を与えるとともに、同時に積載板に押圧力を与えることができ、よって部品点数を削除することが可能になり、コストダウンが可能になるという効果に加えて、負荷ギアによって積載板を押圧する作用点を任意に設定することができ、よって装置設計の自由度が増大するという効果を奏するものである。
【００４９】
本発明の請求項４に係る給紙装置は、請求項３の構成において、負荷ギアの端面と積載板の端面の夫々に、互いに噛合する複数個の鋸歯状傾斜面からなる上側接触部ならびに下側接触部を夫々設けて構成するものであるから、負荷ギアの回転ならびに負荷ギアに噛合するピニオンの回転をより効果的に規制することが可能になる。
【００５０】
本発明の請求項５に係る給紙装置は、請求項４の構成において、前記上側接触部ならびに下側接触部の各鋸歯を構成する一対の傾斜面の各傾斜角度を、一方の傾斜角度が他方の傾斜角度よりも小であり、かつ巾ガイドを巾を狭める方向に移動させる際に、負荷ギアが小さい傾斜角度の傾斜面を登る方向に回転する構成とするものであるから、ユーザが給紙部に記録紙をセットし、記録紙巾に巾ガイドを合わせる（巾ガイドは閉方向）際は、動作負荷を軽くし、記録紙搬送のスキューを抑止する（巾ガイドを開方向）際は動作負荷を重くすることが可能になり、よって操作性と信頼性の向上を実現できる。
【００５１】
本発明の請求項６に係る給紙装置は、一個の圧縮バネが負荷ギアを押圧して負荷を発生させ、この負荷ギアにフランジが噛合されたピニオンにこの負荷を与えるとともに、負荷ギアを介して積載板を押圧する構成とするものであるから、一個だけの圧縮バネにより巾ガイドの動作に負荷を与えるとともに、同時に積載板に押圧力を与えることができ、よって部品点数を削除することが可能になり、コストダウンが可能になるという効果に加えて、負荷ギアとして比較的小径のギアを複数個連結させた構成にすることによって、積載板を押圧する作用点を任意に設定することができ、よって装置設計の自由度が増大するという効果を奏するものである。
【００５２】
本発明の請求項７に係る給紙装置は、請求項６の構成において、負荷ギアの端面と積載板の端面の夫々に、互いに噛合する複数個の鋸歯状傾斜面からなる上側接触部ならびに下側接触部を夫々設けて構成するものであるから、負荷ギアの回転ならびに負荷ギアにフランジが噛合するピニオンの回転をより効果的に規制することが可能になる。
【００５３】
本発明の請求項８に係る給紙装置は、請求項７記載の構成において、前記上側接触部ならびに下側接触部の各鋸歯を構成する一対の傾斜面の各傾斜角度を、一方の傾斜角度が他方の傾斜角度よりも小であり、かつ巾ガイドを巾を狭める方向に移動させる際に、負荷ギアが小さい傾斜角度の傾斜面を登る方向に回転する構成とするものであるから、ユーザが給紙部に記録紙をセットし、記録紙巾に巾ガイドを合わせる（巾ガイドは閉方向）際は、動作負荷を軽くし、記録紙搬送のスキューを抑止する（巾ガイドを開方向）際は動作負荷を重くすることが可能になり、よって操作性と信頼性の向上を実現できる。
【図面の簡単な説明】
【図１】本発明に係る給紙装置の第一の実施形態の構成を示す模式断面図である。
【図２】本発明に係る給紙装置の第二の実施形態の構成を示す模式断面図である。
【図３】図２に示される要部の拡大断面図である。
【図４】本発明に係る給紙装置の第三の実施形態の構成を示す模式断面図である。
【図５】本発明に係る給紙装置の第四の実施形態の構成を示す模式断面図である。
【図６】従来の給紙装置の構成を示す模式断面図である。
【図７】図６に示される給紙ガイドの分解斜視図である。
【符号の説明】
ＷＤ１  本発明に係る給紙装置
１    積載板
１ｂ  下端面
２    記録紙
３    圧縮バネ
４    給紙ローラ
５    分離パッド
６ａ、７ａ    巾ガイド
６ｂ、７ｂ    ラック
８    ピニオン
８ａ  ピニオン下端面
８ｂ  ピニオン上端面
１０  回動軸
ＦＬ  筐体
Ｖ    回動方向
【図１】
0003723664.tif 000002
【図２】
0003723664.tif 000003
【図３】
0003723664.tif 000004
【図４】
0003723664.tif 000005
【図５】
0003723664.tif 000006
【図６】
0003723664.tif 000007
【図７】
0003723664.tif 000008